(57)【要約】【課題】  ビニール等のごみ袋をごみ箱に装着する際の方法を改善し、見た目にすっきりしたごみ箱の状態にする、ごみ箱のごみ袋クリップと飾りふたを提供する。【解決手段】  上下二枚の板と、それらを支える支持板で基体を形成し、その基体の押え板下面にマグネット板を設け、押え板と基体の支持板との連結部は、押え板が上下に開閉が出来て、尚且つ、上方に弱い復元力を持つ柔軟材で出来ており、他方基体の受け板は押え板下面から所定の距離のところで支持板に垂直に結合され、その上面に鉄板を設け、基体の支持板はその背面にゴム材を設け、これらのごみ袋クリップ本体と、この本体と同時に使用される、遮視と飾りとを目的とする飾りふたとで構成されることを特徴とするごみ箱のごみ袋クリップと飾りふた。【選択図】図１
2011105512.tif 000002
【特許請求の範囲】
【請求項１】
上下二枚の板と、それらを支える支持板で基体を形成し、その基体の押え板下面にマグネット板を設け、押え板と基体の支持板との連結部は、押え板が上下に開閉が出来て、尚且つ、上方に弱い復元力を持つ柔軟材で出来ており、他方基体の受け板は押え板下面から所定の距離のところで支持板に垂直に結合され、その上面に鉄板を設け、基体の支持板はその背面にゴム材を設け、これらのごみ袋クリップ本体と、この本体と同時に使用される、遮視と飾りとを目的とする飾りふたとで構成されることを特徴とするごみ箱のごみ袋クリップと飾りふた。
【発明の詳細な説明】
【技術分野】
【０００１】  本発明は、一般家庭や企業のオフィス等で常日ごろ使用されているごみ箱が、ビニール等のごみ袋の装着方法が問題で、見た目に見苦しい状態にあることを改善するために提供されるごみ箱のごみ袋クリップと飾りふたに関するものである。
【背景技術】
【０００２】  従来、ごみ箱はそのままで使用され、部屋の片隅の物の陰の目立たない場所に置くことが多かった。しかし、近年ごみの状況や形態も複雑になり、ごみの廃棄のし易さや衛生的観点から、ごみ箱の中にビニール等のごみ袋を装着して、そのごみ袋ごと捨てるやり方が、簡単で持ち運びもし易く一般的となった。しかし、良く観察して見ると、そのごみ袋がごみ箱の開口部から突き出ていたり、ごみ箱の側面板天端を覆っていたりして、見た目に見苦しいごみ箱の状態に問題があると言える。最近では、デザイン化された見た目に美しいごみ箱が出回り、インテリアの一部として使用する人が多くなった。
【発明の概要】
【発明が解決しようとする課題】
【０００３】  そこで、ビニール等のごみ袋が、ごみ箱の開口部から突き出ていたり、ごみ箱の側面板天端を覆っていたりして、見た目に見苦しいごみ箱の状態や、デザイン化された見た目に美しいごみ箱をインテリアの一部として使用する人が多くなったこと等から、ビニール等のごみ袋のごみ箱への装着方法の改善と前述の問題を解決しようとするものである。
【課題を解決するための手段】
【０００４】  上下二枚の板と、それらを支える支持板で基体を形成し、その基体の押え板下面にマグネット板を設け、押え板と基体の支持板との連結部は、押え板が上下に開閉が出来て、尚且つ、上方に弱い復元力を持つ柔軟材で出来ており、他方基体の受け板は押え板下面から所定の距離のところで支持板に垂直に結合され、その上面に鉄板を設け、基体の支持板はその背面にゴム材を設け、これらのごみ袋クリップ本体をごみ箱の側面板内壁の所定箇所に、粘着剤を介するか、ごみ箱それ自体、その側面板内壁とごみ袋クリップとを一体成形品化することにより複数個固定し、押え板と受け板との間にビニール等のごみ袋の口部を挟むことで、ごみ袋を安定的に収納保持し、また、ごみ箱の側面板内壁に固定されたごみ袋クリップ本体の押え板上面の上に飾りふたを置くことで、ごみ箱の内部が見えにくくなり、ごみ箱もすっきりと見えることを特徴とするごみ箱のごみ袋クリップと飾りふた。
【発明の効果】
【０００５】  本発明は、図１のように取り付けあるいは設置され、ごみ箱の開口部からビニール等のごみ袋が突き出さず、また、ごみ箱の側面板天端を覆うことなく、そして、飾りふたを置くことにより、ごみ箱の中身が直接目に入ることも無く見た目にすっきりしたごみ箱が保持できるので、ごみ箱をインテリアの一部として用いることが出来、またそのことにより、部屋の雰囲気をより一層快適に出来るのである。
【図面の簡単な説明】
【０００６】
【図１】本発明の使用状態を示す分解斜視図
【図２】本発明のごみ袋クリップの開いた状態を示す斜視図
【図３】本発明のごみ袋クリップの平面図
【図４】本発明のごみ袋クリップの正面図
【図５】本発明のごみ袋クリップの左側面図
【図６】本発明のごみ袋クリップのＡ−Ａ断面図
【図７】本発明の飾りふたの平面図
【図８】本発明の飾りふたのＢ−Ｂ断面図
【発明を実施するための形態】
【０００７】  以下、図面を参照して、本発明の取り付けと実施の形態を説明する。
（イ）ごみ袋クリップ本体（１）は、図６で示されるように押え板（２）、受け板（３）、支持板（４）と開閉背部（５）から構成されるプラスチック材料の一体成形品にマグネット板（９）、鉄板（１０）、ゴム材（１５）を設けたものからなる。
（ロ）開閉背部（５）は、押え板（２）の何回もの開閉に耐え得ることが出来る耐久性に優れた素材とする。
（ハ）押え板下面（７）の所定位置に、所定寸法のマグネット板（９）を、受け板上面（８）の所定位置に所定寸法の鉄板（１０）をそれぞれ設ける。
（ニ）支持板背部（１４）に湾曲面有等の多様な形のごみ箱に対応出来る様に所定の厚みを持つゴム材（１５）を設ける。
（ホ）飾りふた（１３）は図７で示すようにドーナツ形で凸部（１６）、切欠き部（１７）と切抜き部（１８）を型押しされたプラスチック材料成形品。
本発明は、以上の構成よりなっている。
【０００８】  そして、次に、本発明の使用手順について説明する。
（イ）ごみ袋クリップ本体（１）をごみ箱内周の３乃至４等分線上で、ごみ箱側面板天端（１１）と押え板上面（６）の距離が約１．５センチメートルとなる位置に、粘着剤を介するか、ごみ箱それ自体、その側面板内壁とごみ袋クリップ本体（１１）とを一体成形品化する方法で、ごみ箱の形状により３個乃至４個を固定する。
（ロ）押え板（２）のつまみ（２０）に人指しゆびの腹部を軽く当て、押え板を上方に開き、ビニール等のごみ袋を鉄板（１０）の上に差し込む様に置き、押え板（２）を閉じる。この操作をごみ袋クリップ本体（１）の数だけ行う。
（ハ）ごみ箱の開口部（１２）に丁度良い大きさで収まる様に、飾りふた（１３）の切欠き部（１７）を選択して、飾りふた（１３）の切抜き部（１８）にカッターナイフを差し込み、切欠き部（１７）に刃先を当ててそれに沿って飾りふた（１３）の余りの部分を切除する。
（ニ）（ハ）の作業で出来上がった飾りふた（１３）を、ごみ袋クリップ本体（１）の押え板上面（６）の上に置く。
以上のように、本発明は、ビニール等のごみ袋口部（１９）が、図１のように装着され、ごみ袋クリップ本体（１）内及び、ごみ箱の側面板天端（１１）以下に留まるので、ごみ箱の側面板天端（１１）を覆うこと無く、また、ごみ箱の開口部（１２）からも突き出ない。そして、飾りふた（１３）をごみ袋クリップ本体（１）の押え板上面（６）の上に置くため、ごみ等の内容物が見えにくく、見た目にすっきりしたごみ箱が保持できる。
【符号の説明】
【０００９】１ごみ袋クリップ本体
２押え板
３受け板
４支持板
５開閉背部
６押え板上面
７押え板下面
８受け板上面
９マグネット板
１０鉄板
１１側面板天端
１２開口部
１３飾りふた
１４支持板背部
１５ゴム材
１６凸部
１７切欠き部
１８切抜き部
１９ごみ袋口部
２０つまみ
【図１】
2011105512.tif 000003
【図２】
2011105512.tif 000004
【図３】
2011105512.tif 000005
【図４】
2011105512.tif 000006
【図５】
2011105512.tif 000007
【図６】
2011105512.tif 000008
【図７】
2011105512.tif 000009
【図８】
2011105512.tif 000010